(57)【要約】【課題】新たな媒体を媒体供給源にセットした後に、その媒体のセットに伴って生じるユーザーの手間を低減することができる印刷装置を提供する。【解決手段】プリンターは、給送カセットと手差しトレイを備える。給送カセットに新たな用紙がセットされた場合（Ｓ１２：ＹＥＳ）には、セットされた用紙の種類と非表示設定の問い合わせを行う（Ｓ１４）。手差しトレイに新たな用紙がセットされた場合には（Ｓ１２：ＮＯ）、セットされた用紙の種類の問い合わせを行う（Ｓ１９）。そして、非表示設定がされた給送カセットに新たな用紙がセットされた場合には（Ｓ１２：ＹＥＳ，Ｓ１３：ＹＥＳ）、セットされた用紙の種類と非表示設定の問い合わせを行わない。【選択図】図５
2015006767.tif 000002
【特許請求の範囲】
【請求項１】
第１媒体供給源と、
セットできる媒体の種類が前記第１媒体供給源よりも多い第２媒体供給源と、
前記第１媒体供給源及び前記第２媒体供給源から供給された前記媒体に印刷を行う印刷部と、
前記第１媒体供給源及び前記第２媒体供給源に、新たな前記媒体がセットされたことを検出する検出部と、
新たな前記媒体がセットされたことを前記検出部が検出した場合に、セットした前記媒体の種類をユーザーに問合せする問合せ部と、
前記第１媒体供給源に対する前記問合せの禁止指示をユーザーから受け付ける一方、前記第２媒体供給源に対する前記禁止指示をユーザーから受け付けない受付部と、
前記受付部が前記禁止指示を受け付けた前記第１媒体供給源に対して、前記問合せ部の前記問合せを禁止する禁止部と、を備えることを特徴とする印刷装置。
【請求項２】
第１媒体供給源と、
セットできる媒体量が前記第１媒体供給源よりも少ない第２媒体供給源と、
前記第１媒体供給源及び前記第２媒体供給源から供給された前記媒体に印刷を行う印刷部と、
前記第１媒体供給源及び前記第２媒体供給源に、新たな前記媒体がセットされたことを検出する検出部と、
新たな前記媒体がセットされたことを前記検出部が検出した場合に、セットした前記媒体の種類をユーザーに問合せする問合せ部と、
前記第１媒体供給源に対する前記問合せの禁止指示をユーザーから受け付ける一方、前記第２媒体供給源に対する前記禁止指示をユーザーから受け付けない受付部と、
前記受付部が前記禁止指示を受け付けた前記第１媒体供給源に対して、前記問合せ部の前記問合せを禁止する禁止部と、を備えることを特徴とする印刷装置。
【請求項３】
前記第１媒体供給源及び前記第２媒体供給源にセットされている前記媒体の種類を表示可能な表示部をさらに備え、
前記問合せ部は、新たな前記媒体がセットされたことを前記検出部が検出した場合には、前記媒体の種類を前記表示部に表示させて問合せすることを特徴とする請求項１又は請求項２に記載の印刷装置。
【請求項４】
前記問合せ部は、前記第１媒体供給源に新たな前記媒体がセットされたことを前記検出部が検出した場合には、前記禁止指示を受け付け可能な表示を前記表示部に表示させる一方、前記第２媒体供給源に新たな前記媒体がセットされたことを前記検出部が検出した場合には、前記禁止指示を受け付け可能な表示を前記表示部に表示させないことを特徴とする請求項３に記載の印刷装置。
【請求項５】
前記第１媒体供給源及び前記第２媒体供給源にセットされている前記媒体の種類を記憶する記憶部をさらに備え、
前記印刷部は、前記記憶部が記憶している前記媒体の種類及びユーザーから指定された前記媒体の種類に応じて、前記第１媒体供給源及び前記第２媒体供給源の何れか一方の媒体供給源を選択して、その一方の媒体供給源にセットされている前記媒体に印刷を行うことを特徴とする請求項１〜請求項４のうちの何れか一項に記載の印刷装置。
【発明の詳細な説明】
【技術分野】
【０００１】
本発明は、複数の媒体供給源から供給された用紙などの媒体に印刷を行う印刷装置に関する。
【背景技術】
【０００２】
従来から、複数の給送トレイ（媒体供給源）から用紙（媒体）を給紙可能なプリンターが知られている。こうしたプリンターには、給送トレイが装着されたときに、装着された給送トレイに収容される用紙の種類を入力させる画面を表示するものがある（例えば、特許文献１）。そして、このプリンターでは、給送トレイが装着されたときに用紙の種類の入力（問合せ）画面を表示させるか否かを、ユーザーが任意に設定することを可能としている。
【先行技術文献】
【特許文献】
【０００３】
【特許文献１】特開２００２−２７８３７７号公報
【発明の概要】
【発明が解決しようとする課題】
【０００４】
ところで、上記従来のプリンターにおいて、給送トレイ装着時の用紙の種類の入力画面を非表示設定にすると、異なる種類の用紙をセットした給送トレイを装着した場合に、用紙の種類の変更設定を別途行う必要が生じ、ユーザーの手間となる。その一方で、給送トレイ装着時の用紙の種類の入力画面を表示設定にすると、用紙の種類を変更せずに用紙をセットした給送トレイを装着する場合でも、本来必要でない用紙の種類の入力画面が毎回表示され、ユーザーの手間となる。こうして、上記従来のプリンターでは、給送トレイが装着された際に、用紙の種類の入力画面を表示する場合も表示しない場合も、ユーザーの手間となるという課題がある。
【０００５】
本発明は、上記課題のうち少なくとも１つに鑑みてなされたものである。その目的は、新たな媒体を媒体供給源にセットした後に、その媒体のセットに伴って生じるユーザーの手間を低減することができる印刷装置を提供することにある。
【課題を解決するための手段】
【０００６】
以下、上記課題を解決するための手段及びその作用効果について記載する。
上記課題を解決する印刷装置は、第１媒体供給源と、以前と異なる種類の媒体がセットされる頻度が前記第１媒体供給源よりも多い第２の媒体供給源と、を備える。ここで、第１媒体供給源とは、セットできる媒体の種類が第２媒体供給源よりも少ない媒体供給源、又はセットできる媒体量が第２媒体供給源よりも多い媒体供給源のことをいう。一方、以前と異なる種類の媒体がセットされる頻度が前記第１媒体供給源よりも多い第２の媒体供給源とは、セットできる媒体の種類が第１媒体供給源よりも多い媒体供給源、又はセットできる媒体量が第１媒体供給源よりも少ない媒体供給源のことをいう。
【０００７】
さらに、同印刷装置は、前記第１媒体供給源及び前記第２媒体供給源から供給された前記媒体に印刷を行う印刷部と、前記第１媒体供給源及び前記第２媒体供給源に、新たな前記媒体がセットされたことを検出する検出部と、新たな前記媒体がセットされたことを前記検出部が検出した場合に、セットした前記媒体の種類をユーザーに問合せする問合せ部と、前記第１媒体供給源に対する前記問合せの禁止指示をユーザーから受け付ける一方、前記第２媒体供給源に対する前記禁止指示をユーザーから受け付けない受付部と、前記受付部が前記禁止指示を受け付けた前記第１媒体供給源に対して、前記問合せ部の前記問合せを禁止する禁止部と、を備える。
【０００８】
上記構成によれば、第１媒体供給源及び第２媒体供給源に、新たな媒体がセットされたときに、ユーザーに対して同媒体の種類の問合せを行うことで、その応答としてユーザーにより入力される媒体の種類の情報に基づき、印刷装置は、各媒体供給源にセットされている媒体の種類を認識することができる。
【０００９】
ここで、第１媒体供給源が第２媒体供給源に比べて、セットできる媒体の種類（例えば、媒体のサイズや媒体の質種など）が少ない場合には、第１媒体供給源に以前と異なる種類の媒体がセットされる頻度は、第２媒体供給源に以前と異なる種類の媒体がセットされる頻度よりも低いことが予想される。一方、第１媒体供給源が第２媒体供給源に比べて、セットできる媒体量が多い場合には、第１媒体供給源が同一種類の媒体を大量印刷する際の媒体供給源に適することとなり、第２媒体供給源が複数種類の媒体を少量印刷する際の媒体供給源に適することとなる。したがって、この場合でも、第１媒体供給源に以前と異なる種類の媒体がセットされる頻度は、第２媒体供給源に以前と異なる種類の媒体がセットされる頻度よりも低いことが予想される。
【００１０】
そこで、上記構成の印刷装置は、そうした異なる種類の媒体がセットされる頻度が第２媒体供給源よりも低い第１媒体供給源に対しては、新たな媒体をセットする際のユーザーに対する媒体の種類の問合せの禁止指示を同ユーザーから受け付けた場合に、媒体の種類の問合せを禁止する。その一方で、上記構成の印刷装置は、そうした異なる種類の媒体がセットされる頻度が第１媒体供給源よりも高い第２媒体供給源に対しては、新たな媒体をセットする際のユーザーに対する媒体の種類の問合せの禁止指示を同ユーザーから受け付けず、媒体の種類の問合せを都度許容する。
【００１１】
こうして、異なる種類の媒体がセットされる可能性が第２媒体供給源よりも低い第１媒体供給源に媒体がセットされる場合には、ユーザーにセットした媒体の種類の問合せを行わないようにもできる。一方、異なる種類の媒体がセットされる可能性が第１媒体供給源よりも高い第２媒体供給源に媒体がセットされる場合には、ユーザーにセットした媒体の種類の問合せを行うようにできる。こうして、各媒体供給源に対して新たな媒体がセットされた際に、媒体の種類が変更された可能性が高い場合には媒体の種類の問合せを行うことができ、媒体の種類が変更された可能性が低い場合には媒体の種類の問合せを行わないようにできる。したがって、新たな媒体を媒体供給源にセットした後に、その媒体のセットに伴って生じるユーザーの手間を低減することができる。
【００１２】
上記印刷装置は、前記第１媒体供給源及び前記第２媒体供給源にセットされている前記媒体の種類を表示可能な表示部をさらに備え、前記問合せ部は、新たな前記媒体がセットされたことを前記検出部が検出した場合には、前記媒体の種類を前記表示部に表示させて問合せすることが望ましい。
【００１３】
上記構成によれば、表示部を介して、第１媒体供給部及び第２媒体供給部にセットされている媒体の種類の問合せが可能となるため、ユーザーが媒体の種類の問合せ作業を容易に行うことができる。
【００１４】
上記印刷装置において、前記問合せ部は、前記第１媒体供給源に新たな前記媒体がセットされたことを前記検出部が検出した場合には、前記禁止指示を受け付け可能な表示を前記表示部に表示させる一方、前記第２媒体供給源に新たな前記媒体がセットされたことを前記検出部が検出した場合には、前記禁止指示を受け付け可能な表示を前記表示部に表示させないことが望ましい。
【００１５】
上記構成によれば、第１媒体供給源に新たな媒体がセットされたときには、表示部に禁止指示を受け付け可能な表示をして、ユーザーに禁止指示を行うか否かを選択させることができる。その一方で、第２媒体供給源に新たな媒体がセットされたときには、表示部に禁止指示を受け付け可能な表示をしないで、ユーザーに禁止指示を行えないようにすることができる。こうして、第１媒体供給源に新たな媒体がセットされたときと、第２媒体供給源に新たな媒体がセットされたときとで、表示部に表示する画面を変更することで、ユーザーが誤って第２媒体供給源に対して禁止指示を行うことを防止することができる。
【００１６】
上記印刷装置は、前記第１媒体供給源及び前記第２媒体供給源にセットされている前記媒体の種類を記憶する記憶部をさらに備え、前記印刷部は、前記記憶部が記憶している前記媒体の種類及びユーザーから指定された前記媒体の種類に応じて、前記第１媒体供給源及び前記第２媒体供給源の何れか一方の媒体供給源を選択して、その一方の媒体供給源にセットされている前記媒体に印刷を行うことが望ましい。
【００１７】
上記構成によれば、第１媒体供給源及び第２媒体供給源に媒体の種類の異なる媒体をセットした状態で、印刷装置に対してユーザーが媒体の種類を指定した印刷指示をした場合には、ユーザーが指定した種類の媒体がセットされた媒体供給源から供給された媒体に印刷が行われる。したがって、所望の種類の媒体がセットされた媒体供給源をユーザーが選択せずとも、ユーザーが指定した種類の媒体に印刷を行うことができる。
【図面の簡単な説明】
【００１８】
【図１】複合機能を有するプリンターの斜視図。
【図２】プリンターの電気的構成を示すブロック図。
【図３】プリンターの機能的構成を示すブロック図。
【図４】（ａ）〜（ｄ）は給送カセット及び手差しトレイに対する問合せ画面の遷移を示す図。
【図５】給送トレイに新たな用紙をセットしたときの処理ルーチンを示すフローチャート。
【発明を実施するための形態】
【００１９】
以下、印刷装置をインクジェット式プリンター（以下、単に「プリンター」ともいう。）に具体化した一実施形態について、図を参照して説明する。
図１に示すプリンター１１は、スキャン機能、プリント機能、コピー機能、及びファクシミリ機能を併せ持つ複合機である。プリンター１１は、略直方体形状を有する装置本体１２と、装置本体１２の前面（図１では右手前面）に設けられた操作パネル１３とを備えている。操作パネル１３には、表示部１４及び複数の操作スイッチからなる操作部１５が設けられている。操作部１５には、電源スイッチ１５ａ、印刷開始ボタン１５ｂ及び各種モードを切り替えるモード切替えボタン１５ｃなどが含まれる。なお、本実施形態の表示部１４はその画面に表示されたボタンに触れるとそのボタンに対応する内容を選択入力可能なタッチパネルになっており、このタッチパネル機能も操作部の一部を構成する。
【００２０】
図１に示すように、装置本体１２の前面下部には、媒体の一例としての用紙Ｐを収容可能な複数（図１の例では三つ）のカセット型の給送トレイ１６〜１８が、それぞれ装置本体１２の収容凹部に対して着脱可能（挿抜可能）な状態で装着されている。複数の給送トレイ１６〜１８のうちの一つから給送された用紙Ｐは、装置本体１２内の背面側に配置された用紙反転経路（図示省略）に沿って反転した後、搬送方向Ｙに沿って搬送される。また、装置本体１２の背面側には用紙Ｐを載置可能な手差し型の給送トレイ１９が設けられている。なお、以降の説明では、カセット型の給送トレイ１６〜１８を「給送カセット１６〜１８」ともいい、手差し型の給送トレイ１９を「手差しトレイ１９」ともいう。また、三つの給送カセット１６〜１８を区別する場合には、上側から順に、第１給送カセット１６、第２給送カセット１７、第３給送カセット１８ともいう。さらに、給送カセット１６〜１８と手差しトレイ１９とを合わせて、給送トレイ１６〜１９ともいう。
【００２１】
図１に示すように、装置本体１２内には、搬送方向Ｙと交差する主走査方向Ｘ（本例では幅方向）に延びるガイド軸２１に案内されて往復移動可能なキャリッジ２２が設けられている。キャリッジ２２の下部に取り付けられた印刷ヘッド２３は、搬送される媒体の一例としての用紙Ｐ（図１では二点鎖線で示す）にインク滴を噴射可能な複数のノズルを有している。そして、印刷ヘッド２３は、キャリッジ２２が主走査方向Ｘに往復移動しながらインク滴を噴射することで、用紙Ｐの表面に文書又は画像等の印刷を行う。印刷済みの用紙Ｐは、搬送方向Ｙへ送られ、装置本体１２の正面の操作パネル１３の下側で給送カセット１６〜１８の上側の位置に開口する排出口２４から排出される。そして、排出された用紙Ｐは、例えば突出状態に引き延ばされたスライド式の排出スタッカー２５（排出トレイ）上に積載される。
【００２２】
このように図１に示すプリンター１１では、装置本体１２における下部がプリンター部２６となっている。そして、プリンター部２６の上側にスキャナー部２７が配置されている。スキャナー部２７は、装置本体１２の上面部に配置された原稿読取り面を有する不図示の原稿台と、その上側に装置本体１２に対して原稿台を覆う閉状態と原稿台を覆わない開状態とに開閉可能なカバー２８とを有する。カバー２８の上部には、複数枚の原稿をセットしてスキャナー部２７へ一枚ずつ給送可能な自動原稿給送ユニット２９（オートドキュメントフィーダー）が設けられている。
【００２３】
次に、上述した給送カセット１６〜１８にセットされる用紙Ｐと、手差しトレイ１９にセットされる用紙Ｐとの差異について説明する。
給送カセット１６〜１８は、手差しトレイ１９に比較して、多数の用紙Ｐを収容可能であり、その収容可能な用紙量の上限は一例として５００枚となっている。一方、手差しトレイ１９は、給送カセット１６〜１８に比較して、少数の用紙Ｐを収容可能であり、その収容可能な用紙量の上限は一例として１００枚となっている。こうした点で、本実施形態では、給送カセット１６〜１８が「第１媒体供給源」の一例に相当し、手差しトレイ１９が「セットできる媒体量（用紙量）が第１媒体供給源よりも少ない第２媒体供給源」の一例に相当している。
【００２４】
また、給送カセット１６〜１８と手差しトレイ１９とは、収容可能な「用紙の種類」が異なっている。ここで、本実施形態における「用紙の種類」とは、用紙のサイズを示す「用紙サイズ」と用紙の質に関する種類を示す「質種」とを含む概念を意味する。具体的には、給送カセット１６〜１８は、手差しトレイ１９に比較して、収容可能な「用紙サイズ」が限られている。一例として、給送カセット１６〜１８は、Ａ４判、Ａ５判、Ｂ５判、レター、及びリーガルなどのサイズの用紙Ｐを収容可能であるのに対して、手差しトレイ１９は、給送カセット１６〜１８が収容可能な用紙Ｐに加えて、Ｌ判、２Ｌ判、Ａ６判、及びハガキなどの給送カセット１６〜１８よりも小さいサイズの用紙Ｐを収容可能である。また、給送カセット１６〜１８は、手差しトレイ１９に比較して、収容可能な「質種」も限られている。一例として、給送カセット１６〜１８は、普通紙、再生紙、上質紙、色付き紙などの質種の用紙Ｐを収容可能であるのに対して、手差しトレイ１９は、給送カセット１６〜１８が収容可能な用紙Ｐに加えて、光沢紙、ラベルシート、厚紙などの質種の用紙Ｐを収容可能である。こうした点で、本実施形態では、給送カセット１６〜１８が「第１媒体供給源」の一例に相当し、手差しトレイ１９が「セットできる媒体の種類（用紙の種類）が第１媒体供給源よりも多い第２媒体供給源」の一例に相当している。なお、給送カセット１６〜１８は、手差しトレイ１９に比較して、収容可能な「用紙サイズ」が限られていれば、収容可能な「質種」は等しくてもよい。また、給送カセット１６〜１８は、手差しトレイ１９に比較して、収容可能な「質種」が限られていれば、収容可能な「用紙サイズ」は等しくてもよい。
【００２５】
以上より、給送カセット１６〜１８は手差しトレイ１９に比べてセットできる用紙量が多いため、習慣的に同一の種類の用紙Ｐを大量印刷する際の用紙供給源に適している。一方、手差しトレイ１９は給送カセット１６〜１８に比べ、習慣的に異なる種類の媒体を少量印刷する際の用紙供給源に適している。このため、給送カセット１６〜１８に以前と異なる種類の用紙Ｐがセットされる頻度は、手差しトレイ１９に以前と異なる種類の用紙Ｐがセットされる頻度よりも低くなる。すなわち、給送カセット１６〜１８は手差しトレイ１９よりもセットされる用紙の種類が変更される頻度が低く、手差しトレイ１９は給送カセット１６〜１８よりもセットされる用紙の種類が変更される頻度が高くなる。
【００２６】
次に図２に基づいてプリンター１１の電気的構成を説明する。図２に示すように、プリンター１１は、その全体的な制御を司るコントローラー３０、操作パネル１３、スキャンエンジン３１、プリントエンジン３２、及びファクシミリ通信部（以下「ＦＡＸ通信部３３」と称す）を備えている。また、プリンター１１は、外部メモリーインターフェイス（以下「外部メモリーＩ／Ｆ３４」と称す）及び通信インターフェイス（以下「通信Ｉ／Ｆ３５」と称す）を備えている。
【００２７】
プリントエンジン３２は、印刷ヘッド２３、キャリッジ２２を移動させる動力源となるキャリッジモーター３６、給送トレイ１６〜１９から用紙Ｐを給送する動力源となる給送モーター３７、給送された用紙Ｐを搬送する動力源となる搬送モーター３８、印刷ヘッド２３をクリーニングするクリーニング装置３９などを備えている。
【００２８】
外部メモリーＩ／Ｆ３４は、スロット１２ａに挿入された外部記憶媒体ＥＭ（例えばメモリーカード）に対して、コントローラー３０のアクセスを可能にする。通信Ｉ／Ｆ３５は、プリンター１１をホスト装置１００と接続し、ホスト装置１００からの印刷指令をプリンター１１に伝達可能とする。なお、ホスト装置１００には、パーソナルコンピューターや携帯情報端末などが用いられる。
【００２９】
コントローラー３０は、コンピューター４０を備えている。コンピューター４０は、ＣＰＵ４１（中央処理装置）、ＡＳＩＣ４２（Application Specific IC（特定用途向けＩＣ））、不揮発性メモリー４３及びＲＡＭ４４を備えている。不揮発性メモリー４３には、プリンター１１における各種制御に必要なプログラムが記憶され、ＣＰＵ４１がプログラムを実行することによりプリンター１１の各種制御が行われる。
【００３０】
さらに不揮発性メモリー４３には、各給送トレイ１６〜１９とそれにセットされている用紙の種類との対応関係を示す設定データＳＤ（図３参照）が記憶されている。具体的には、設定データＳＤには、第１給送カセット１６には用紙サイズが「Ａ４」であって質種が「普通紙」である用紙Ｐがセットされ、手差しトレイ１９には用紙サイズが「Ｂ５」であって、質種が「光沢紙」である用紙Ｐがセットされているといった情報が含まれている。また、設定データＳＤには、給送カセット１６〜１８に対しては、後述する「非表示設定」の設定情報が含まれている。こうした点で、本実施形態では、不揮発性メモリー４３が、給送カセット１６〜１８及び手差しトレイ１９にセットされている用紙の種類を記憶する記憶部の一例に相当している。
【００３１】
図２に示すように、装置本体１２内には、給送モーター３７を動力源として各給送カセット１６〜１８にセットされた用紙Ｐを一枚ずつ送り出す機能を有する給送駆動部４６が給送カセット１６〜１８毎に設けられている。各給送駆動部４６は、装置本体１２側のフレームに対して軸支された揺動部材４７の先端部に回転可能に支持されたピックアップローラー４８を備えている。給送カセット１６〜１８のうちの一つのピックアップローラー４８が回転すると、その給送カセット１６〜１８にセットされた用紙群のうち最上位の一枚が給送方向下流側へ送り出される。また、手差しトレイ１９の基端部近傍位置に設けられた給送ローラー４９が、給送モーター３７の動力で回転駆動することにより、手差しトレイ１９上の用紙群のうち最上位の一枚が給送方向下流側へ送り出される。
【００３２】
図２に示すように、装置本体１２には、給送カセット１６〜１８の取外し及び装着を検知可能なトレイセンサー５１〜５３が給送カセット１６〜１８毎に設けられている。これらのトレイセンサー５１〜５３はコントローラー３０の入力端子に接続されている。
【００３３】
また、装置本体１２又は給送カセット１６〜１８には、給送カセット１６〜１８上の用紙Ｐの有無を検知可能な紙センサー５４〜５６が設けられている。また、装置本体１２には、手差しトレイ１９上の用紙Ｐの有無を検知可能な紙センサー５７が設けられている。これらの紙センサー５４〜５７は、コントローラー３０の入力端子に接続されている。
【００３４】
また、紙センサー５４〜５７は、給送トレイ１６〜１９上の用紙Ｐを検知したときに紙有りの旨の検知信号をコントローラー３０に出力し、給送トレイ１６〜１９上に用紙Ｐがないときに紙無しの旨の非検知信号をコントローラー３０に出力する。このため、コントローラー３０は、紙センサー５４〜５７からの信号を基に給送トレイ１６〜１９上の用紙Ｐの残量があるかどうかを確認可能である。
【００３５】
次に、図３を用いてコントローラー３０の機能的構成について説明する。コントローラー３０は、プログラムを実行するＣＰＵ４１によりソフトウェアとして構築される機能部分、及びＡＳＩＣ４２内の回路に書き込まれたプログラムにより構築される機能部分として制御部６０を備えている。
【００３６】
図３に示す制御部６０は、印刷制御をはじめとするプリンター１１における各種印刷制御を司る印刷制御部６１と、ＦＡＸ通信部３３で受信したＦＡＸ原稿を印刷するファクシミリ制御部６２とを備えている。また、制御部６０は、セットした用紙の種類をユーザーに問い合わせする問合せ部６３と、問合せ部６３の問合せに対する応答を受け付ける受付部６４と、問合せ部６３のユーザーに対する問合せを禁止する禁止部６５とを備えている。
【００３７】
印刷制御部６１は、ユーザーからの印刷指示によって通信Ｉ／Ｆ３５から印刷データが入力された場合などに、プリントエンジン３２を駆動制御して入力された印刷データに基づいて印刷を行う。このとき、印刷制御部６１は、設定データＳＤを参照して、給送トレイ１６〜１９のうちユーザーから指定された種類（用紙サイズ・質種）の用紙Ｐがセットされた一つの給送トレイを選択する。そして、印刷制御部６１は、プリントエンジン３２を駆動制御して、その選択した給送トレイから給送された用紙Ｐに印刷を行う。こうした点で、本実施形態では、印刷制御部６１及びプリントエンジン３２が印刷部の一例に相当している。また、ファクシミリ制御部６２は、ＦＡＸ通信部３３からＦＡＸ信号が出力された場合にプリントエンジン３２を駆動制御してＦＡＸ原稿の印刷を行う。すなわち、ファクシミリ制御部６２及びプリントエンジン３２も印刷部の一例に相当している。
【００３８】
問合せ部６３は、給送カセット１６〜１８及び手差しトレイ１９のうちの１つに、新たな用紙Ｐがセットされたことをトレイセンサー５１〜５３及び紙センサー５４〜５７に基づいて検出した場合に、表示部１４に図４（ａ），（ｂ）に示す問合せ画面８０Ａ，８０Ｂを表示して、ユーザーにセットした用紙の種類の問合せを行う。具体的には、問合せ部６３は、各トレイセンサー５１〜５３からの信号に基づき各給送カセット１６〜１８が引き出された後に再び装置本体１２に装着されたことを判断した場合に、紙センサー５４〜５６からの信号に基づき再装着された給送カセットの中に用紙Ｐが存在するかを判断する。そして、問合せ部６３は、その給送カセットの中に用紙Ｐが存在することを判断した場合に、ユーザーに対してその給送カセットにセットされた用紙の種類の入力を促す問合せ画面８０Ａを表示部１４に表示させる。また、問合せ部６３は、紙センサー５７からの信号に基づき手差しトレイ１９上の用紙Ｐが一旦無くなって非検知状態になった後、再び用紙Ｐを検知した場合に、ユーザーに対してその手差しトレイ１９にセットされた用紙の種類の入力を促す問合せ画面８０Ｂを表示部１４に表示させる。こうした点で、本実施形態では、トレイセンサー５１〜５３及び紙センサー５４〜５７が給送カセット１６〜１８及び手差しトレイ１９に新たに用紙Ｐがセットされたことを検出する検出部の一例に相当している。なお、本実施形態において「給送カセットに新たに用紙Ｐがセットされた」ということは、単に取り外されている給送カセットに新たに用紙Ｐがセットされたということを意味するのではない。給送カセットが引き出された後に再び装置本体１２に装着され、かつ、その時点で給送カセット中に用紙Ｐがセットされていたということを意味する。なお、図４（ａ）では、図面の省略のために、給送カセット１６〜１８用の問合せ画面を代表して、第１給送カセット１６用の問合せ画面８０Ａを示している。
【００３９】
また、本実施形態では、プリンター１１を操作して印刷する場合（ホスト装置１００からの印刷指示以外の場合）、印刷条件設定及び印刷指示のうち少なくとも一方は表示部１４に表示される画面上の操作で行われるので、印刷を行うためには問合せ画面８０Ａ，８０Ｂを終了させる必要がある。
【００４０】
さて、問合せ画面８０Ａ，８０Ｂには、給送トレイ１６〜１９にセットされた用紙Ｐの用紙サイズを設定するときに操作される用紙サイズボタン８１と、質種を設定するときに操作される質種ボタン８２と、問合せ画面８０Ａ，８０Ｂを終了させるときに操作される設定終了ボタン８３とが設けられている。また、給送カセット１６〜１８用の問合せ画面８０Ａには、「次回用紙セット時に、この画面を表示しない」ようにするか否かを選択できるチェックボックス８４が設けられている。
【００４１】
そして、図４（ａ），（ｂ）に示す問合せ画面８０Ａ，８０Ｂにおいて、用紙サイズボタン８１を選択操作すると、図４（ｃ）に示す用紙サイズ選択画面８５に切り替わる。この用紙サイズ選択画面８５の例では、用紙サイズの選択対象として、Ａ４判、Ｂ５判、Ａ５判、レターなどの用紙サイズの候補の一覧がボタン８６で表示される。画面８５中の矢印キー８７を操作するとその操作した矢印の方向へ画面がスクロールされ、全ての用紙サイズのボタン８６を選択可能となっている。図４（ｃ）の例に示すように、用紙サイズとして同図に太枠で示された「Ｂ５」のボタン８６が選択されると、図４（ａ），（ｂ）の問合せ画面８０Ａ，８０Ｂに切り替わり、用紙サイズボタン８１の表示が「Ａ４」から「Ｂ５」に変更される。
【００４２】
一方、図４（ａ），（ｂ）に示す問合せ画面８０Ａ，８０Ｂにおいて、質種ボタン８２を選択操作すると、図４（ｄ）に示す質種選択画面８８に切り替わる。この質種選択画面８８の例では、普通紙、再生紙、上質紙、色付き紙などのプリンター１１が対応可能な質種の候補の一覧がボタン８９で表示される。画面８８中の矢印キー８７を操作するとその操作した矢印の方向へ画面がスクロールされ、全ての質種のボタン８９を選択可能となっている。図４（ｄ）の例に示すように、質種として同図に太枠で示された「色付き紙」のボタン８９が選択されると、図４（ａ），（ｂ）の問合せ画面８０Ａ，８０Ｂに切り替わり、質種ボタン８２の表示が「普通紙」から「色付き紙」に変更される。
【００４３】
なお、上述したように、給送カセット１６〜１８にセットできる用紙の種類は、手差しトレイ１９にセットできる用紙の種類よりも少なくなっている。このため、実際には、給送カセット１６〜１８用の問合せ画面８０Ａから用紙サイズ選択画面８５に切り替えた場合に選択できる用紙サイズの選択肢は、手差しトレイ１９用の問合せ画面８０Ｂから用紙サイズ選択画面８５に切り替えた場合に選択できる用紙サイズの選択肢よりも少なくなる。同様に、実際には、給送カセット１６〜１８用の問合せ画面８０Ａから質種選択画面８８に切り替えた場合に選択できる質種の選択肢は、手差しトレイ１９用の問合せ画面８０Ｂから質種選択画面８８に切り替えた場合に選択できる質種の選択肢よりも少なくなる。
【００４４】
また、図４（ａ）に示す給送カセット１６〜１８用の問合せ画面８０Ａにおいては、「次回用紙セット時に、この画面を表示しない」ことを意味する「非表示設定」をユーザーが希望する場合に、チェックボックス８４にチェックを入れられるようになっている。一方、「非表示設定」をユーザーが希望しない場合には、チェックボックス８４にチェックを入れない。このようにして、問合せ画面８０Ａ上では、「非表示設定」を設定するか否かをユーザーが選択できるようになっている。こうして、問合せ部６３は、給送カセット１６〜１８に新たな用紙Ｐがセットされたことを、トレイセンサー５１〜５３及び紙センサー５４〜５６からの信号に基づき検出した場合に、非表示設定（禁止指示）を受け付け可能な問合せ画面８０Ａを表示部１４に表示させる。また、問合せ部６３は、手差しトレイ１９に新たな用紙Ｐがセットされたことを、紙センサー５７が検出した場合に、非表示設定（禁止指示）を受け付け不能な問合せ画面８０Ｂを表示部１４に表示させる。そして、用紙サイズと質種との設定が終了した後に設定終了ボタン８３を選択することで、問合せ部６３の問合せ画面８０Ａ，８０Ｂが終了する。なお、設定終了ボタン８３は、設定を何も変更しない場合に、問合せ画面８０Ａ，８０Ｂを終了する際に操作されるキャンセルボタンの機能も有している。もちろん、設定終了ボタン８３とは別にキャンセルボタンを設けてもよい。
【００４５】
受付部６４は、問合せ部６３の問合せに対して、ユーザーが操作部１５を介して入力した問合せの応答を受け付け、それを設定データＳＤに記憶させる。具体的には、給送カセット１６〜１８に対しては、用紙サイズ、質種、及び非表示設定に係る問合せの応答をユーザーから受け付けて設定データＳＤに記憶させる。一方、手差しトレイ１９に対しては、用紙サイズ及び質種に係る問合せの応答をユーザーから受け付けて設定データＳＤに記憶させる。こうして、本実施形態の受付部６４は、問合せ部６３の給送カセット１６〜１８に対する問合せの禁止指示（非表示設定）をユーザーから受け付ける一方、問合せ部６３の手差しトレイ１９に対する問合せの禁止指示（非表示設定）をユーザーから受け付けないようにしている。なお、こうした問合せ部６３及び受付部６４は、ユーザーが何れかの給送トレイ１６〜１９の用紙Ｐを以前と異なる種類の用紙Ｐに交換した際に、その給送トレイに実際にセットされた用紙の種類と、その給送トレイの設定データＳＤ上の用紙の種類とが、対応しなくなることを抑制するために設けられている。
【００４６】
禁止部６５は、設定データＳＤを参照して、非表示設定が設定された給送カセット１６〜１８に、新たな用紙Ｐがセットされた際に、同給送カセット１６〜１８に対して、問合せ部６３が問合せ画面８０Ａを表示させることを禁止する。すなわち、非表示設定とは、給送カセット１６〜１８毎に設定されるものであり、同非表示設定が設定された給装カセットに対して、用紙Ｐがセットされたときの問合せ画面８０Ａを表示するか否かを決定するものである。このため、非表示設定は、設定データＳＤ上に対応する給送カセット１６〜１８毎にフラグとして記憶される。一例として、フラグは、非表示設定でなければ「０（零）」、非表示設定であれば「１」などとすればよい。
【００４７】
次に、図５に示すフローチャートを参照して、制御部６０が実行する処理ルーチンについて説明する。なお、処理ルーチンは、プリンター１１の電源投入後、逐次実行されるものとする。
【００４８】
図５に示す本処理ルーチンでは、まずステップＳ１１において、制御部６０は、新たな用紙Ｐが給送トレイ１６〜１９（給送カセット１６〜１８及び手差しトレイ１９）にセットされたか否かをトレイセンサー５１〜５３及び紙センサー５４〜５７の検出結果に基づいて判定する。そして、給送トレイ１６〜１９に新たな用紙Ｐがセットされていない場合（ステップＳ１１：ＮＯ）、制御部６０は、新たな用紙Ｐが何れかの給送トレイ１６〜１９にセットされるまでステップＳ１１の判定処理を繰り返し実行する。一方、給送トレイ１６〜１９に新たな用紙Ｐがセットされた場合（ステップＳ１１：ＹＥＳ）、制御部６０は、その処理をステップＳ１２に移行する。
【００４９】
ステップＳ１２において、制御部６０は、用紙Ｐがセットされた給送トレイが給送カセット１６〜１８であるか否かを判定する。用紙Ｐがセットされた給送トレイが給送カセット１６〜１８である場合（ステップＳ１２：ＹＥＳ）、制御部６０は、その処理をステップＳ１３に移行する。
【００５０】
ステップＳ１３において、制御部６０は、設定データＳＤを参照して、その給送カセットが非表示設定になっているか否かを判定する。その給送カセットが非表示設定になっている場合（ステップＳ１３：ＹＥＳ）、制御部６０は、その処理を一旦終了する。一方、その給送カセットが非表示設定になっていない場合（ステップＳ１３：ＮＯ）、制御部６０は、その処理をステップＳ１４に移行する。なお、給送カセットが非表示設定になっている場合（ステップＳ１３：ＹＥＳ）とは、対応する設定データＳＤのフラグが「１」となっている場合である。また、給送カセットが非表示設定になっていない場合（ステップＳ１３：ＮＯ）とは、対応する設定データＳＤのフラグが「０（零）」になっている場合である。
【００５１】
ステップＳ１４において、制御部６０は、給送カセット１６〜１８用の問合せ画面８０Ａを表示部１４に表示させる。ここで、図４（ａ）に示すように、給送カセット１６〜１８用の問合せ画面８０Ａでは、用紙のサイズ、質種、及び非表示設定の設定が可能となっている。
【００５２】
続いて、ステップＳ１５において、制御部６０は、問合せに対するユーザーによる設定が終了したか否かを判定する。問合せに対する設定が終了する場合とは、上述した問合せ画面８０Ａを介して、ユーザーが用紙の種類の設定を変更して設定終了ボタン８３を操作する場合や、ユーザーが用紙の種類の設定を変更することなく設定終了ボタン８３を操作する場合をいう。そして、問合せに対する設定が終了していない場合（ステップＳ１５：ＮＯ）、制御部６０は、ユーザーから用紙の種類の設定終了の入力があるまで、ステップＳ１５の判定処理を繰り返し実行する。一方、ユーザーが問合せに対する設定を終了した場合（ステップＳ１５：ＹＥＳ）、制御部６０は、その処理をステップＳ１６に移行する。
【００５３】
ステップＳ１６において、制御部６０は、ユーザーが非表示設定をしたか否かを判定する。ユーザーが非表示設定をしなかった場合（ステップＳ１６：ＮＯ）、制御部６０は、その処理を後述するステップＳ１８に移行する。一方、ユーザーが非表示設定をした場合（ステップＳ１６：ＹＥＳ）、制御部６０は、その処理をステップＳ１７に移行する。
【００５４】
ステップＳ１７において、制御部６０は、ユーザーが設定した「非表示設定」を対応する給送カセットの設定データＳＤに記憶する。すなわち、フラグ「１」に変更する。そして、非表示設定を記憶したら、次のステップＳ１８において、制御部６０は、ユーザーが設定した用紙の種類の情報を、設定データＳＤにおけるその給送カセットに対応する部分を書き替えることで記憶して、この処理ルーチンを一旦終了する。
【００５５】
一方、先のステップＳ１２において、用紙Ｐがセットされた給送トレイが手差しトレイ１９であった場合（ステップＳ１２：ＮＯ）、制御部６０は、その処理をステップＳ１９に移行する。
【００５６】
ステップＳ１９において、制御部６０は、手差しトレイ１９用の問合せ画面８０Ｂを表示部１４に表示させる。ここで、図４（ｂ）に示すように、手差しトレイ１９用の問合せ画面８０Ｂでは、用紙のサイズ及び質種の設定が可能となっており、非表示設定の設定は不可能となっている。
【００５７】
そして、次のステップＳ２０において、制御部６０は、ユーザーから問合せに対する設定が終了したか否かを判定し、問合せに対する設定が終了していない場合（ステップＳ２０：ＮＯ）、問合せに対する設定が終了するまでステップＳ２０の判定処理を繰り返し実行する。一方、問合せに対する設定が終了した場合（ステップＳ２０：ＹＥＳ）、制御部６０は、その処理をステップＳ１８に移行する。
【００５８】
そして、ステップＳ１８において、制御部６０は、ユーザーが設定した用紙の種類の情報を、設定データＳＤにおける手差しトレイ１９に対応する部分を書き替えることで記憶して、この処理ルーチンを一旦終了する。
【００５９】
なお、本実施形態では、ステップＳ１２，Ｓ１４，Ｓ１９が問合せ部６３の行う処理の一例に相当し、ステップＳ１３が禁止部６５の行う処理の一例に相当し、ステップＳ１６，Ｓ１７，Ｓ１８が受付部６４の行う処理の一例に相当している。また、１つ目の給送トレイに新たな用紙Ｐがセットされて上述の処理を行っている最中に、２つ目の給送トレイに新たな用紙Ｐがセットされた場合は、１つ目の給送トレイに対する上述の処理を終了した直後に引き続いて２つ目の給送トレイに対する上述の処理を行う。
【００６０】
次に、本実施形態のプリンター１１の作用について説明する。作用に係る説明では、第１給送カセット１６は基本的に同一種類の用紙Ｐが継続してセットされるものとし、第２給送カセット１７及び手差しトレイ１９はセットされる用紙Ｐの種類が変更されるものとする。また、初期状態では、各給送カセット１６〜１８の非表示設定は設定されていないものとする。
【００６１】
さて、プリンター１１のユーザーが、第１給送カセット１６に新たな用紙Ｐをセットした場合には、表示部１４に図４（ａ）に示す問合せ画面８０Ａが表示される。第１給送カセット１６は、同一種類の用紙Ｐが継続してセットされるため、ユーザーは、用紙の種類の設定を以前の設定から変更する必要がない。そして、次回以降に第１給送カセット１６に新たな用紙Ｐをセットした場合に、表示部１４に問合せ画面８０Ａを表示させないように、チェックボックス８４にチェックを入れた状態で設定終了ボタン８３を操作する。こうして、第１給送カセット１６に対して非表示設定が設定されることで、次回以降に第１給送カセット１６に新たな用紙Ｐをセットした場合に、問合せ画面８０Ａが表示部１４に表示されなくなる。したがって、同一種類の用紙Ｐが継続してセットされる第１給送カセット１６に対しては、問合せ画面８０Ａを表示させるか否かを選択させ、繰り返し問合せ画面８０Ａを表示させなくすることで、ユーザーが問合せ画面８０Ａを終了させる操作をしなくて済み手間が低減される。
【００６２】
また、プリンター１１のユーザーが、第２給送カセット１７に新たな用紙Ｐをセットした場合には、表示部１４に図４（ａ）に示す問合せ画面８０Ａが上部の表記が「第２給送カセット」となった状態で表示される。第２給送カセット１７は、セットされる用紙Ｐの種類が変更される可能性があり、以前と異なる種類の用紙Ｐがセットされる場合には、ユーザーは、用紙の種類の設定を以前の設定から変更する。そして、次回以降に第２給送カセット１７に新たに用紙Ｐをセットする場合にも、今回同様、表示部１４に問合せ画面８０Ａを表示させるために、ユーザーは、チェックボックス８４にチェックを入れない状態で設定終了ボタン８３を操作する。こうして、第２給送カセット１７に対しては、非表示設定を設定しないことで、次回以降に第２給送カセット１７に新たな用紙Ｐをセットした場合でも、表示部１４に問合せ画面８０Ａが表示される。したがって、第２給送カセット１７に対しては、問合せ画面８０Ａを表示させるか否かを選択させ、複数種類の用紙Ｐがセットされる可能性が高い場合は、繰り返し問合せ画面８０Ａが表示させることで、ユーザーが新たな用紙Ｐをセットする際に、都度用紙の種類の設定を行わせることができる。
【００６３】
また、プリンター１１のユーザーが、手差しトレイ１９に新たな用紙Ｐをセットした場合には、表示部１４に図４（ｂ）に示す問合せ画面８０Ｂが表示される。手差しトレイ１９は、セットされる用紙Ｐの種類が変更される可能性が比較的高く、以前と異なる種類の用紙Ｐがセットされた場合には、ユーザーは、用紙の種類の設定を以前の設定から変更する。そして、図４（ｂ）に示す手差しトレイ１９用の問合せ画面８０Ｂには、図４（ａ）に示す給送カセット１６〜１８用の問合せ画面８０Ａにあるチェックボックス８４がないため、ユーザーはそのまま設定終了ボタン８３を操作する。こうして、手差しトレイ１９に対しては、非表示設定が設定できないため、次回以降に手差しトレイ１９に新たな用紙Ｐをセットした場合でも、表示部１４に問合せ画面８０Ｂが表示される。こうして、複数種類の用紙Ｐがセットされる手差しトレイ１９に対しては、繰り返し問合せ画面８０Ｂが表示されることで、ユーザーは、その都度用紙の種類の設定を行うことができる。
【００６４】
なお、第１給送カセット１６に対して、異なる種類の用紙Ｐをセットする場合には、操作部１５を操作して、別途、表示部１４に問合せ画面（設定画面）を表示させて、用紙の種類を設定する操作と、必要ならば非表示設定を解除する操作とを行えばよい。非表示設定を解除することで、以後、用紙Ｐをセットする度に問合せ画面８０Ａが繰り返し表示される状態に戻すことができる。また、第２給送カセット１７に対して、同一種類の用紙Ｐを継続してセットする場合には、ユーザーは第１給送カセット１６と同様の操作を行えばよい。説明は省略したが、第３給送カセットについても同様である。
【００６５】
上記実施形態によれば、以下に示す効果を得ることができる。
（１）セットできる用紙の種類が手差しトレイ１９よりも少なく、以前と異なる種類の用紙Ｐがセットされる可能性が比較的低い、給送カセット１６〜１８に用紙Ｐがセットされる場合には、ユーザーにセットした用紙の種類の問合せを行わないようにもできる。一方、セットできる用紙の種類が給送カセット１６〜１８よりも多く、以前と異なる種類の用紙Ｐがセットされる可能性が比較的高い、手差しトレイ１９に用紙Ｐがセットされる場合には、ユーザーにセットした用紙の種類の問合せを必ず行うことができる。したがって、新たな用紙Ｐを給送トレイ１６〜１９にセットした後に、その用紙Ｐのセットに伴って生じるユーザーの手間を低減することができる。
【００６６】
例えば、給送カセット１６〜１８に用紙Ｐをセットする度に問合せ画面８０Ａが表示されると、用紙の種類の変更が必要でない場合にその問合せ画面８０Ａの表示を終了させる操作が手間になるが、本実施形態では問合せ画面８０Ａを表示させないようにできるため、この種の操作の手間を無くすことができる。また、手差しトレイ１９に用紙Ｐをセットする度に問合せ画面８０Ｂが表示されるため、用紙の種類の変更が必要である場合に、問合せ画面８０Ｂに従って用紙の種類の変更設定が可能となり、別途、用紙の種類の入力画面を表示させる操作を行う必要を無くすことができる。また、用紙Ｐを新たにセットした際の用紙の種類の入力忘れによって、手差しトレイ１９と用紙Ｐの種類との対応関係が、設定データＳＤと実際とで不一致になる事態を回避し易い。このため、ユーザーが印刷時に指定した種類の用紙Ｐが手差しトレイ１９にセットされている場合に、その指定と異なる種類の用紙Ｐに印刷がなされる不都合も低減できる。
【００６７】
（２）給送カセット１６〜１８は、手差しトレイ１９に比べてセットできる用紙量が多いため、同一の種類の用紙Ｐを大量印刷する際の用紙供給源に適している。一方、手差しトレイ１９は給送カセット１６〜１８に比べ、異なる種類の用紙Ｐを少量印刷する際の用紙供給源に適している。このため、給送カセット１６〜１８に以前と異なる種類の用紙Ｐがセットされる頻度は、手差しトレイ１９に以前と異なる種類の用紙Ｐがセットされる頻度よりも低くなる。こうした点からも、（１）に記載の効果を得ることができる。
【００６８】
（３）給送トレイ１６〜１９に新たな用紙Ｐがセットされたことが検出された場合、問合せ部６３は、その給送トレイに対応する問合せ画面８０Ａ，８０Ｂを表示部１４に表示させる。このため、ユーザーがその問合せに対して用紙の種類を入力する設定作業を容易に行うことができる。
【００６９】
（４）給送カセット１６〜１８用の問合せ画面８０Ａに、非表示設定のためのチェックボックス８４を表示させる一方、手差しトレイ１９用の問合せ画面８０Ｂに、非表示設定のためのチェックボックス８４を表示させない。このため、ユーザーが誤って手差しトレイ１９に対して非表示設定を行うことを防止しつつ、給送カセット１６〜１８のうちユーザーが所望する少なくとも一つの給送カセットに非表示設定を行って問合せ画面８０Ａを表示させないようにすることができる。
【００７０】
（５）プリンター１１に対してユーザーが用紙の種類を指定した印刷指示をした場合には、給送トレイ１６〜１９のうち、設定データＳＤを参照してその指定された用紙の種類と対応する給送トレイが選択されることで、ユーザーが指定した種類の用紙Ｐがセットされた給送トレイから供給された用紙Ｐに印刷が行われる。したがって、所望の種類の用紙Ｐがセットされた給送トレイ１６〜１９をユーザーが選択せずとも、ユーザーが指定した種類の用紙Ｐに印刷を行うことができる。
【００７１】
なお、上記実施形態は、以下に示すように変更してもよい。
・問合せ画面８０Ａにおいて、非表示設定の設定は、用紙の種類の設定と同時に行わなくてもよい。例えば、用紙の種類の設定が終わった後に、非表示設定を設定する問合せ画面を表示してもよい。また、新たに用紙Ｐがセットされたときに非表示設定を設定する問合せ画面を表示させるのではなく、例えばユーザーにより操作部１５が操作されたときに表示させるようにしてもよい。
【００７２】
・給送トレイ１６〜１８のうち少なくとも一つに非表示設定が設定されている場合でも、プリンター１１の電源を投入してから、その非表示設定がなされている給送トレイに初めて用紙Ｐがセットされた際には、その給送トレイに対して禁止部６５は問合せ部６３の問合せを許可するようにしてもよい。具体的には、図５に示すフローチャートにおいて、ステップＳ１２とステップＳ１３との間に、「その給送カセットに用紙がセットされたのはプリンターの電源が投入されてから初めてか否か」を判定するステップを新たに設けてもよい。そして、この判定ステップでは、用紙Ｐがその給送トレイにセットされたのがプリンター１１の電源が投入されてから初めてでない（２回目以降）である場合には、制御部６０は、その処理をステップＳ１３に移行すればよい。また、同判定ステップでは、用紙Ｐがその給送トレイにセットされたのが初めてである場合には、制御部６０は、その処理をステップＳ１４に移行すればよい。
【００７３】
・給送カセット１６〜１８及び手差しトレイ１９用の問合せ画面８０Ａ，８０Ｂを表示してから所定時間（例えば、数分）を経過しても、ユーザーから操作がない場合には、用紙の種類が変更されなかったものとして問合せ画面８０Ａ，８０Ｂを終了させてもよい。特に、給送カセット１６〜１８用の問合せ画面８０Ａでは、前述の場合に、非通知設定が設定されたとみなしてもよいし、設定されなかったとみなしてもよい。
【００７４】
・例えば、第１給送カセット１６に比べて第２給送カセット１７にセットされる用紙の種類が多い場合には、第１給送カセット１６を第１媒体供給源とするとともに、第２給送カセット１７を第２媒体供給源としてもよい。また、第１給送カセット１６に比べて第２給送カセット１７にセットされる用紙量が少ない場合には、第１給送カセット１６を第１媒体供給源とするとともに、第２給送カセット１７を第２媒体供給源としてもよい。すなわち、この場合には、第１給送カセット１６に対しては、図４（ａ）に示す問合せ画面８０Ａが表示され、第２給送カセット１７に対しては図４（ｂ）に示す問合せ画面８０Ｂが表示されるようになる。こうして、給送カセット１６〜１８のうちで、第１媒体供給源と第２媒体供給源とを設定するようにしてもよい。なお、この場合には、手差しトレイ１９を設けなくてもよい。
【００７５】
・例えば、トレイセンサー５１〜５３が給送カセットを検知しない非検知状態になるとコントローラー３０がタイマーによる計時を開始し、その後、検知状態になるとタイマーによる計時を停止して経過時間を取得するようにしてもよい。この場合、禁止部６５は、その経過時間が用紙の交換に最低必要と想定される設定時間よりも短い場合に、問合せ部６３の問合せを禁止するようにしてもよい。これによれば、経過時間が短い時間（例えば、数秒）であれば、ユーザーが用紙の交換を意図せず他の目的（例えば用紙の種類又は残量の確認）で又は誤操作のため、給送カセット１６〜１８が取り外し及び装着されたと判断して、問合せ部６３の問合せを禁止することができる。すなわち、新たな用紙Ｐのセットが伴わずに、給送カセット１６〜１８が取り外し及び装着される場合には、問合せ部６３の問合せを禁止することで、問合せに対するユーザーの作業の手間を低減することができる。
【００７６】
・プリンター１１に接続されたホスト装置１００に、上記表示部１４に相当する表示を行う場合には、プリンター１１に表示部１４を備えなくてもよい。
・給送カセット１６〜１８は、手差しトレイ１９に比べて、セットできる用紙の種類（媒体の種類）が少なければ、セットできる用紙量（媒体量）が多くなくてもよい。若しくは、給送カセット１６〜１８は、手差しトレイ１９に比べて、セットできる用紙量（媒体量）が多ければ、セットできる用紙の種類（媒体の種類）が少なくなくてもよい。
【００７７】
・給送カセット１６〜１８に新たに用紙Ｐがセットされたことを、手差しトレイ１９のように紙センサー５４〜５６を用いて検出するようにしてもよい。
・給送トレイ１６〜１９に新たに用紙がセットされたこと検知する検出部は、接触式センサーでもよいし、光学センサーでもよいし、さらに他の種類のセンサーでもよい。
【００７８】
・給送カセット１６〜１８や手差しトレイ１９にセットされている用紙Ｐの用紙サイズと質種の一方を検知するセンサーを設けて、問合せ画面８０Ａ，８０Ｂでは、他方をユーザーに問い合わせるようにしてもよい。
【００７９】
・給送カセット１６〜１８は三つに限定されず、一つ、二つ、四つ以上でもよい。手差しトレイ１９は一つに限定されず、複数あってもよい。また、一つの給送カセット内に複数段のセットできる用紙量が互いに異なるトレイが収納されて各トレイにセットされた異なる種類の用紙Ｐを選択して給送可能な構成の場合は、給送カセットが一つだけで手差しトレイ１９がなくてもよい。要するに、プリンター１１に媒体供給源として選択できる複数の給送手段があり、少なくとも以前と異なる種類の用紙Ｐがセットされる頻度が高い給送手段と以前と異なる種類の用紙Ｐがセットされる頻度が低い給送手段とが、それぞれ１つ以上あればよい。
【００８０】
・プリンター１１は、媒体に印刷する印刷機能を少なくとも有していればよく、印刷機能以外の機能も併せ持つ複合機に限定されない。
・プリンター１１に対して特別な操作を行うことで給送カセット１６〜１８に対する非表示設定を表示設定に切り替える機能があってもよいし、これに加えて手差しトレイ１９を含めた全ての給送トレイ１６〜１９に対して問い合わせ画面を非表示設定にする機能があってもよい。前者の機能を有することで、ある給送カセットについて、用紙の種類を変えない予定であったが状況が変わって別の種類の用Ｐ紙をセットすることになった時でも、問合せ画面を介して新たな用紙の種類をプリンター１１に通知できる。また後者の機能を有することで、手差しトレイ１９にセットする用紙の種類を変えない一部のユーザーであって、あとから非表示設定を表示設定に切り替える方法を分かっていると思われるユーザーは、毎回問い合わせ画面が表示されることがなくなり、ユーザービリティーをよくすることができる。
【００８１】
・媒体は、用紙Ｐに限定されず、樹脂製シート、紙と樹脂の複合体フィルム（樹脂含浸紙、樹脂コート紙など）、樹脂と金属の複合体フィルム（ラミネートフィルム）、織物、金属製フィルム、セラミックシートなどであってもよい。
【００８２】
・印刷装置の印刷方式は、インクジェット方式、ドットインパクト方式、レーザー方式でもよい。さらに、印刷装置は、シリアルプリンター、ラインプリンター又はページプリンターでもよい。
【符号の説明】
【００８３】
１１…プリンター（印刷装置の一例）、１４…表示部、１５…操作部、１６〜１８…給送カセット（第１媒体供給源の一例）、１９…手差しトレイ（第２媒体供給源の一例）、３０…コントローラー、３２…プリントエンジン（印刷部の一例）、４３…不揮発性メモリー（記憶部）、５１〜５３…トレイセンサー（検出部の一例）、５４〜５７…紙センサー（検出部の一例）、６０…制御部、６１…印刷制御部（印刷部の一例）、６３…問合せ部、６４…受付部、６５…禁止部、８０Ａ，８０Ｂ…問合せ画面、ＳＤ…設定データ、Ｐ…用紙（媒体の一例）。
【図１】
2015006767.tif 000003
【図２】
2015006767.tif 000004
【図３】
2015006767.tif 000005
【図４】
2015006767.tif 000006
【図５】
2015006767.tif 000007